(57)【要約】【課題】建物の梁や桁の側面に手摺の支柱を、垂直姿勢で且つ所定の高さにして、確実に取り付けられる手摺用支柱の取付構造を提供する。【解決手段】梁Ｈの側面に固定され、係る梁Ｈの側面に接する内側面１２に垂直な凹溝１３を有し、且つ係る凹溝１３の底面と外側面１４との間を貫通する上下一対の横長の長孔１７を有するベースプレート１０と、係るベースプレート１０の凹溝１３に嵌装され、上記一対の長孔１７と連通する上下一対の雌ネジ孔１９を有するナット板１８と、上記ベースプレート１０の外側面１４に内側壁が接触し、係る内側壁に上下一対の貫通孔２ａを有する支柱２と、係る支柱２の各貫通孔２ａおよびベースプレート１０の各長孔１７を貫通し且つ上記ナット板１８の各雌ネジ孔１９に螺合する複数の固定用ボルトＢと、を含む、手摺用支柱の取付構造。【選択図】  図４
2006328937.tif 000002
【特許請求の範囲】
【請求項１】
梁または桁の側面に固定され、係る梁または桁の側面に接する内側面に垂直な凹溝または凹部を有し、且つ係る凹溝または凹部の底面と外側面との間を貫通する上下複数の横長の長孔を有するベースプレートと、
上記ベースプレートの凹溝または凹部に嵌装され、上記上下複数の横長の長孔と連通する上下複数の雌ネジ孔を有するナット板と、
上記ベースプレートの外側面に接触し、且つ上下複数の貫通孔を有する支柱と、
上記支柱の各貫通孔およびベースプレートの各長孔を貫通し且つ上記ナット板の各雌ネジ孔に螺合する複数の固定用ボルトと、を含む、
ことを特徴とする手摺用支柱の取付構造。
【請求項２】
前記支柱の各貫通孔は、縦長の長孔である、
ことを特徴とする請求項１に記載の手摺用支柱の取付構造。
【請求項３】
前記ベースプレートの凹溝または凹部の深さと前記ナット板の板厚とがほぼ同じあると共に、上記凹溝または凹部とナット板とは、側面視でほぼ相似形の長方形または正方形を呈する、
ことを特徴とする請求項１または２に記載の手摺用支柱の取付構造。
【請求項４】
前記支柱は、断面ほぼ角形で且つ垂直方向に沿って中空部を有すると共に、前記各貫通孔に連通し、且つ前記各固定用ボルトの雄ネジ部を貫通させる通し孔を有する座金が上記中空部に挿入されている、
ことを特徴とする請求項１乃至３の何れか一項に記載の手摺用支柱の取付構造。
【請求項５】
前記支柱は、前記梁または桁の側面に間隔を置いて、前記ベースプレート、ナット板、および固定ボルトを介して複数個が固定されると共に、
隣接する支柱同士の上部または間に、笠木、複数の立子を有する柵体、または、パネルの少なくとも１つが取り付けられる、
ことを特徴とする請求項１乃至４の何れか一項に記載の手摺用支柱の取付構造。
【発明の詳細な説明】
【技術分野】
【０００１】
本発明は、例えば、屋内の吹き抜けを形成する二階の廊下に沿って取り付ける手摺や、階段の手摺における支柱の取付構造に関する。
【背景技術】
【０００２】
一般に、多層建築においては、ベランダ、階段、または、吹き抜けなどを形成する廊下やデッキなどが高い位置に存在し、これらの領域の少なくとも一側部には、転落防止用の手摺が設けられている。係る手摺は、例えば、特許文献１に示すように、専用の手摺取付装置を用いて、床部に複数の支柱を垂直に取り付け、当該複数の支柱の間にパネルや柵体を取り付けることにより、施工されている。
一方、歩行用のスペースの確保や、デザイン性の見地から手摺用支柱を、廊下などの床面を支持する梁などの側面に取り付ける場合もある。
【０００３】
【特許文献１】実開平７−４０８７３号公報（第１〜７頁、図１〜４）
【０００４】
ところで、前述した何れの取付方法でも、手摺用支柱を取り付ける際に、何れかの支柱が垂直姿勢にならずに傾いたり、各支柱間の高さにバラ付きが生じる事態になることがある。この結果、各支柱間にパネルや柵体を取り付けたり、各支柱の上にまたがって笠木を固定することが困難となる。たとえ、上記取付や固定ができた場合でも、手摺全体のデザインを著しく損ねる、という問題があった。
しかも、前記特許文献１の手摺では、手摺用支柱を垂直に取り付けられる反面、手摺用支柱を取り付ける床面に対し、更に上階に手摺取付装置を設置する必要があるため、大かがりな工事となり、多数の労力と施工手数とを要する、という問題もあった。
【発明の開示】
【発明が解決しようとする課題】
【０００５】
本発明は、背景技術において説明した問題点を解決し、建物の梁や桁の側面に手摺の支柱を、垂直姿勢で且つ所定の高さにして、確実に取り付けられる手摺用支柱の取付構造を提供する、ことを課題とする。
【課題を解決するための手段および発明の効果】
【０００６】
本発明は、前記課題を解決するため、発明者らの鋭意研究の結果、梁などの側面に取り付けるべき支柱を固定するボルトの位置を、少なくとも水平方向において調整可能とする、ことに着想して成されたものである。
即ち、本発明の手摺用支柱の取付構造（請求項１）は、梁または桁の側面に固定され、係る梁または桁の側面に接する内側面に垂直な凹溝または凹部を有し、且つ係る凹溝または凹部の底面と外側面との間を貫通する上下複数の横長の長孔を有するベースプレートと、係るベースプレートの凹溝または凹部に嵌装され、上記上下複数の横長の長孔と連通する上下複数の雌ネジ孔を有するナット板と、上記ベースプレートの外側面に接触し、且つ上下複数の貫通孔を有する支柱と、係る支柱の各貫通孔およびベースプレートの各長孔を貫通し且つ上記ナット板の各雌ネジ孔に螺合する複数の固定用ボルトと、を含む、ことを特徴とする。
【０００７】
これによれば、例えば、ベースプレートを梁の側面における所定の位置で、垂直線に対し左右方向の何れかに極く僅かの傾きを伴って固定した場合でも、係るベースプレートにおける上下複数の横長の長孔を活用し、これらの長孔を貫通する固定ボルトの位置を調整することで、上記傾きを矯正し且つ隣接する支柱の高さと同じ高さに揃えて、支柱を取り付けることができる。従って、複数の支柱間に柵体やパネルを容易に取り付けられ、且つ係る支柱の上端にまたがって笠木を、水平または所定の傾斜角度にして取り付けられると共に、手摺全体のデザインも確実に保証することが可能となる。
【０００８】
尚、前記ベースプレートの内側面は、梁や桁の側面に接する側面であり、その外側面は内側面と反対側の側面である。また、前記凹溝を有するベースプレートは、例えば、アルミニウム合金の押出形材から形成しても良い。更に、前記凹部は、ベースプレートの内側面の中央部が凹んだ部分であり、係る凹部を有するベースプレートは、アルミニウム合金を含む各種の金属板における一方の表面を座ぐり加工することなどで形成しても良い。また、ベースプレートの前記凹溝は、断面長方形のほか、開口部が底よりも広い断面を呈する底広凹溝としても良い。この場合には、係る底広凹溝に嵌装するナット板の断面は、ほぼ台形やほぼ逆Ｔ字形とされる。更に、前記凹溝や凹部とナット板との幅方向の間には、係るナット板の傾動を許容する隙間を形成するが、係る隙間は、設計上の公差の範囲内におけるクリアランスとするか、これよりも大きな寸法であるほうが望ましい。
また、前記桁は、傾斜した階段用の桁を含み、階段の長手方向における一方の側面に沿った桁の他、階段の両側面に沿った一対の桁をも含んでいる。加えて、支柱の前記内側壁は、ベースプレートの外側面に接する側壁である。
更に、前記柱における上下複数の貫通孔は、係る柱の下部を内外方向に沿って貫通するが、後述する中空部を有する支柱では、その内側壁に形成される。
【０００９】
また、本発明には、前記支柱の各貫通孔は、縦長の長孔である、手摺用支柱の取付構造（請求項２）も含まれる。
これによれば、前記のように、ベースプレートを梁などの側面における所定の位置で、垂直線に対し左右方向の何れかに極く僅かの傾きを伴って固定した場合でも、係るベースプレートにおける上下複数の横長の長孔と、支柱における複数の縦長の長孔との双方を活用することができる。従って、これらの長孔を貫通する固定ボルトの位置を調整することで、上記傾きを矯正し且つ所定の高さに揃えて、支柱を一層容易に取り付けることができる。
【００１０】
更に、本発明には、前記ベースプレートの凹溝または凹部の深さと前記ナット板の板厚とがほぼ同じあると共に、上記凹溝または凹部とナット板とは、側面視でほぼ相似形の長方形または正方形を呈する、手摺用支柱の取付構造（請求項３）も含まれる。
これによれば、ナット板をベースプレートの凹溝または凹部に嵌装した際、係るベースプレートおよびナット板の内側面を、ほぼ面一にできるため、予め、上記嵌装をしておくことで、現場への搬入が容易となる。しかも、ベースプレートを梁などの側面に固定した際には、当該梁の側面を過度に損傷する事態を防ぐことも可能となる。
尚、上記凹溝は、ベースプレートの内側面を上辺から下辺まで貫通する形態の他、ベースプレートの内側面の上辺にのみ開口し、係る凹溝の下端がベースプレートの内側面の途中で閉じた形態としても良い。係る形態で且つ底面が開口部よりも幅広の底広凹溝とした場合、断面ほぼ台形やほぼ逆Ｔ字形のナット板を落下させずに、嵌装した状態で容易且つ安全に現場にセットすることができる。
【００１１】
また、本発明には、前記支柱は、断面ほぼ角形で且つ垂直方向に沿って中空部を有すると共に、前記各貫通孔に連通し、且つ前記各固定用ボルトの雄ネジ部を貫通させる通し孔を有する座金が上記中空部に挿入されている、手摺用支柱の取付構造（請求項４）も含まれる。
これによれば、例えば、支柱がアルミニウム合金の中空形材からなる場合、係る支柱の内側壁に形成する複数の貫通孔を固定用ボルトが貫通しても、上記アルミニウム合金よりも高強度の鋼板やステンレス鋼板などからなる座金を用いることで、上記貫通孔を当初の形状に容易に保つことができる。特に、支柱の貫通孔が縦長の長孔である場合には、その変形を一層確実に防ぐことが可能となる。
尚、本発明の対象となる支柱は、上記中空部を有しない中実材であっても良く、係る支柱を用いる形態では、複数の前記固定ボルトごとのボルト頭を収容可能な複数の窪み、または垂直な窪み溝を、当該支柱の外側面に形成することが望ましい。係る中実材の支柱には、角形鋼、角形ステンレス鋼、断面が角形のアルミニウム合金からなる棒（バー）材、あるいは硬質の樹脂材または木材が適用される。
【００１２】
加えて、本発明には、前記支柱は、前記梁または桁の側面に間隔を置いて、前記ベースプレート、ナット板、および固定ボルトを介して複数個が固定されると共に、隣接する支柱同士の上部または間に、笠木、複数の格子を有する柵体、または、パネルの少なくとも１つが取り付けられる、手摺用支柱の取付構造（請求項５）も含まれる。
これによれば、ベースプレートの取り付け具合に影響されることなく、複数の支柱を、梁や桁の側面に垂直で且つ同じ高さに揃えるか、一定の傾斜角度に沿って揃えて立設できるため、係る複数の支柱の間に各種デザインの柵体やパネルが容易に且つ体裁良く取り付けることができる。加えて、複数の支柱の上端にまたがって、笠木を水平または所定の傾斜を伴って取り付けることもできる。従って、設計時の基本意匠を保った手摺を容易に施工することが可能となる。
【発明を実施するための最良の形態】
【００１３】
以下において、本発明を実施するための最良の形態について説明する。
図１は、本発明の取付構造を用いた手摺１を示す側面（正面）図、図２は、図１中のＸ−Ｘ線の矢視に沿った垂直断面図、図３は、図２中のＹ−Ｙ線の矢視に沿った水平断面図、図４は、本発明の取付構造の要部を示す分解斜視図である。
図１，図２に示すように、手摺１は、例えば、建物の一階と二階とにまたがる吹き抜けに沿って係る二階の廊下を形成（支持）する梁Ｈ、桁Ｋ、および床板Ｆのうち、吹き抜け側に面した梁Ｈの側面に対し、垂直に固定して取り付けられる複数の支柱２と、係る支柱２，２間に取付られる柵体６と、複数の支柱２の上端に金具ｋを介して水平に支持される笠木（手摺レール）Ｔと、を備えている。
上記柵体６は、隣接する支柱２，２の上・下部に対し、両端が固定される上桟７、下桟８、および、これらの間に垂直に立設された複数の縦格子（格子）９とからなる。
【００１４】
本発明の手摺用支柱２の取付構造は、図２〜図４に示すように、梁Ｈの側面に固定される複数のベースプレート１０と、係るベースプレート１０の内側面１２に垂直方向に沿って形成された断面長方形の凹溝１３に嵌装されるナット板１８と、ベースプレート１０の外側面１４に下部が接して固定される支柱２と、を備えている。尚、ベースプレート１０は、例えば、アルミニウム合金の押出形材からなる全体がほぼ直方体を呈するプレート本体１１からなる。
支柱２は、アルミニウム合金の中空押出形材からなり、断面ほぼ角形で且つほぼ正方形の中空部３を垂直（長手）方向に沿って有し、その下部の外側壁には、上下一対の挿通孔４およびこれを塞ぐキャップ５を有する共に、内側壁における上記挿通孔４と同じ高さの位置には、上下一対（複数）の貫通孔２ａを有している。係る支柱２の中空部３の下部には、上記一対の貫通孔２ａと同軸心となる上下一対の通し孔２２を有する座金２０が、内側壁に接蝕して挿入される。
尚、上記キャップ５は、樹脂製の成形品であるが、これに替えて貼り付けシールにしても良く、上記座金２０は、例えば、鋼板またはステンレス鋼板からなる。
【００１５】
また、図３，４に示すように、ベースプレート１０は、そのプレート本体１１の四隅における内側面１２と外側面１４との間を大径穴１５と小径穴１６とが同軸心で貫通している。係るプレート本体１１の内側面１２の中央部を垂直方向に沿って貫通する凹溝１３の底面と外側面１４との間には、上下一対（複数）の横長（長軸が水平向き）の長孔（長円形孔）１７が貫通している。係る一対の長孔１７，１７間のピッチは、支柱２の貫通孔２ａ，２ａ間および挿通孔４，４間のピッチ、更には、座金２０の通し孔２２，２２間のピッチと同じである。
更に、ナット板１８も、例えば、鋼板またはステンレス鋼板からなり、図２〜図４に示すように、前記凹溝１３の深さとほぼ同じ板厚で、且つ側面視で係る凹溝１３とほぼ相似形の長方形で且つ全体が直方体を呈すると共に、上下一対の雌ネジ孔１９を有している。係る雌ネジ孔１９，１９間のピッチも、ベースプレート１０の長孔１７，１７間、支柱２の貫通孔２ａ，２ａ間、および挿通孔４，４間のピッチと同じである。尚、ナット板１８の幅寸法は、前記凹溝１３の幅寸法よりも若干小さく設定され、係る凹溝１３内での傾動を可能としている。
【００１６】
前記手摺１を施工する際し、手摺用支柱２の取付構造は、次のようにして活用される。先ず、図２〜図４に示すように、ベースプレート１０の凹溝１３にナット板１８を嵌装し、一対の長孔１７と一対の雌ネジ孔１９とを連通させる。
この際、図３に示すように、ナット板１８と凹溝１３との間には、左右一対の隙間ｓが形成される。また、ナット板１８が外れないように、例えば、図示しないテープをベースプレート１０の底面に予め貼り付けておくと良い。
次いで、凹溝１３にナット板１８を嵌装したベースプレート１０を、そのプレート本体１１における四隅の大径穴１５から小径穴１６に向かってこれらを貫通するボルトｂを、梁Ｈの側面からネジ込む。この結果、図１に示すように、当該ベースプレート１０を梁Ｈの側面に等間隔で固定する。その後、上記大径穴１５の開口部は、例えば、ベースプレート１０と同色のキャップｃにより閉塞され、且つ各キャップｃの表面は、ベースプレート１０の外側面１４と面一とされる。
【００１７】
次に、図２，３に示すように、中空部３の下部にテープ（図示せず）などで仮止めしつつ座金２０をセットした支柱２を、各ベースプレート１０の外側面１４に接触させる。係る状態で、図４中の太い矢印で示すように、頭に六角穴ｈを有する２本の固定用ボルトＢを、各支柱２の挿通孔４、座金２０の通し孔２２、各支柱２の貫通孔２ａ、およびベースプレート１０の長孔１７に順次貫通させた後、上記各ボルトＢの雄ネジ部をナット板１８の各雌ネジ孔１９に螺合させる。尚、ベースプレート１０の底面に貼り付けた前記テープは、適時に剥離される。
この結果、図１，図２に示すように、複数の支柱２は、梁Ｈの側面に垂直で且つ高さを揃えた状態で取り付けられる。更に、隣接する支柱２，２の間には、柵体６の上・下桟７，８の端部が図示しない金具を介して固定される。
最後に、複数の支柱２の上端に固定した金具ｋを介して、笠木Ｔを固定して支持することにより、図１に示すように、手摺１が設計の通りにして施工される。
【００１８】
ところで、凹溝１３にナット板１８を嵌装したベースプレート１０は、図５に示すように、梁Ｈの側面に固定する際、図示で右側に極く僅か（例えば、１度未満）に傾斜した姿勢で４本のボルトｂにより固定される場合がある。
係る場合には、図５に示すように、ベースプレート１０の上下一対の長孔１７のうち、上方の長孔１７の中央から極く僅か左側に固定用ボルトＢを貫通させると共に、下方の長孔１７の中央から極く僅か右側に固定用ボルトＢを貫通させるように、前記各隙間ｓを利用してナット板１８を傾動させて、支柱２を取り付ける。この結果、係る支柱２を垂直姿勢で確実に立設できると共に、その高さを隣接する支柱２と揃える操作が、現場で容易に行うことができる。
従って、本発明による手摺１用支柱２の取付構造を用いることで、手摺１を梁Ｈの外側に設計通りのデザインにして容易且つ確実に施工することができる。
【００１９】
図６は、前記形態の応用形態の支柱２の取付構造を示す分解斜視図である。
係る支柱２の取付構造が前記の形態と相違するところは、支柱２の内側壁に設ける複数の貫通孔を、上下一対（複数）の縦長（長軸が垂直向き）の長孔（長円形孔）３ｂ，３ｂとしている点である。これにより、前記図５で示したように、ベースプレート１０およびその凹溝１３に嵌装したナット板１８を、梁Ｈの側面に対し傾斜して固定した際には、ベースプレート１０の横長の各長孔１７と共に、上記支柱２の縦長の各長孔３ｂを併せて活用することができる。この結果、支柱２を垂直姿勢で確実に立設でき、その高さを隣接する支柱２と揃える操作を、現場にて一層容易で確実に行うことが可能となる。
【００２０】
図７は、異なる形態の支柱２４を用いた前記図３と同様な水平断面図、図８は、係る支柱２４を用いる取付構造の要部を示す前記図４と同様な分解斜視図である。
図７，図８に示すように、支柱２４は、例えばステンレス鋼からなり、断面が長方形（角形）である棒状の本体２５と、その外側面の下部に形成され且つ係る外側面に開口する上下一対の窪み２６と、各窪み２６の底面中央部から内側面に向かって水平に貫通すると貫通孔２７とを有している。上記窪み２６は、座ぐり加工によって全体が円柱形に形成されているが、係る形状に限るものではない。
前記同様にして、ベースプレート１０は、その凹溝１３にナット板１８を嵌装した状態で、梁Ｈの側面に固定され、この際に、ベースプレート１０の横長の各長孔１７と、ナット板１８の各雌ネジ孔１９とは、互いに連通すると共に、係るナット板１８と凹溝１３との間には、左右一対の隙間ｓが形成される。
【００２１】
係る状態で、支柱２４を、各ベースプレート１０の外側面１４に接触させ、図８中の太い矢印で示すように、頭に六角穴ｈを有する２本の固定用ボルトＢを、各支柱２４の貫通孔２７とベースプレート１０の長孔１７にと順次貫通させた後、上記各ボルトＢの雄ネジ部をナット板１８の各雌ネジ孔１９に螺合させる。
その結果、図７に示すように、支柱２４は、２本の固定用ボルトＢおよびナット板１８を介して、ベースプレート１０の外側面１４に垂直姿勢で固定され且つ梁Ｈの側面に立設される。尚、係る支柱２４の各窪み２６は、当該支柱２４の外側面に貼り付けられる樹脂製の丸いシールＳによって目隠しされる。
更に、隣接する支柱２４，２４の間に、前記同様に柵体６の上・下桟７，８の端部が図示しない金具を介して固定された後、複数の支柱２４の上端に固定した金具ｋを介して、笠木Ｔを固定して支持することにより、前記図１に示した同様ような手摺が設計の通りにして施工される。
尚、前記上下一対の窪み２６に替えて、垂直方向に沿った単一の窪み溝を支柱２４の外側面に形成し、前記ボルトＢを用いて固定した後で、係る窪み溝をことほぼ相似形のシールまたはキャップで塞いでも良い。また、支柱２４の下部を貫通する上下一対の貫通孔２７に替えて、それぞれを縦長の長孔として良い。
【００２２】
前記同様に、ベースプレート１０は、梁Ｈの側面に固定する際、右側または左側に極く僅か（例えば、１度未満）に傾斜した姿勢で４本のボルトｂにより固定される場合がある。係る場合にも、ベースプレート１０の上下一対の長孔１７のうち、上方の長孔１７の中央から極く僅か左／右側に固定用ボルトＢを貫通させると共に、下方の長孔１７の中央から極く僅か右／左側に固定用ボルトＢを貫通させるように、前記各隙間ｓを利用してナット板１８を傾動させて、支柱２４を取り付けるようにする。この結果、係る支柱２４を垂直姿勢で立設できると共に、その高さを隣接する支柱２４と揃える操作が、現場で容易に行うことができる。
従って、手摺用支柱２４の取付構造を用いることで、前記手摺１と同様な手摺を梁Ｈの外側に設計通りのデザインにして容易且つ確実に施工することができる。
【００２３】
図９は、異なる形態のベースプレート１０ａ、および、これと共に用いるナット板１８ａを示す斜視図である。係るベースプレート１０ａは、図９に示すように、前記同様のプレート本体１１と、その内側面１２において垂直方向に沿って形成された断面長方形の凹溝１３ａと、プレート本体１１の四隅を貫通する前記同様の大径穴１５および小径孔１６と、を有している。上記凹溝１３ａは、プレート本体１１の内側面１２において、その上辺から途中までの位置に形成されるが、係る内側面１２に下辺付近には、その一部である水平部１２ａが残っている。係るベースプレート１０ａは、例えば、アルミニウム合金の板材をフライスなどで座ぐり加工したり、あるいは、アルミニウム合金の溶湯を所定の鋳型（例えば、ダイカスト用金属鋳型）に鋳造することで形成される。
また、係る凹溝１３ａに嵌装されるナット板１８ａは、凹溝１３ａの深さとほぼ同じ板厚で、且つ側面視で凹溝１３ａとほぼ相似形の長方形を呈する。
以上のようなベースプレート１０ａを用いることで、その凹溝１３ａに嵌装したナット板１８ａが外れる事態を防止できるため、前述した手摺１などの施工を、前記テープなどを用いることなく、一層容易に行うことができる。
【００２４】
図１０は、更に異なる形態のベースプレート１０ｂ、および、これと共に用いるナット板１８ｂを示す斜視図である。係るベースプレート１０ｂは、図１０に示すように、前記同様のプレート本体１１と、その内側面１２の中央付近に形成された全体が直方体である凹部１３ｂと、プレート本体１１の四隅を貫通する前記同様の大径穴１５および小径孔１６と、を有している。上記凹部１３ｂは、プレート本体１１の内側面１２の中央付近に形成されるが、係る内側面１２に上辺および下辺付近には、その一部である水平部１２ｂ，１２ｂが残っている。係るベースプレート１０ｂも、前記ベースプレート１０ａと同様にして形成される。
また、上記凹部１３ｂに嵌装されるナット板１８ｂは、凹溝１３ｂの深さとほぼ同じ板厚で、且つ側面視で凹溝１３ｂとほぼ相似形の長方形を呈する。
以上のようなベースプレート１０ｂを用いることで、その凹部１３ｂに嵌装したナット板１８ｂが外れる事態を一層確実に防止できるため、前述した手摺１などの施工を、前記テープなどを用いずに、更に容易に行うことができる。
【００２５】
図１１は、前記各形態の応用形態であるベースプレート１０ｃ、および、これと共に用いるナット板１８ｃを示す断面図である。係るベースプレート１０ｃは、図１１に示すように、前記と同様のプレート本体１１と、その内側面１２の中央部に垂直方向に沿って形成され、且つ底面よりも開口部が狭い底広凹溝（凹溝）１３ｃと、上下一対の長孔１７と、プレート本体１１の四隅を貫通する前記同様の大径穴１５および小径孔１６と、を有している。
【００２６】
上記底広凹溝１３ｃは、垂直方向に沿って断面台形を呈し、係る底広凹溝１３ｃには、プレート本体１１の内側面１２における上辺と下辺との全長を垂直方向に沿って貫通する形態の他に、前記図７で示したように、内側面１２の上辺にのみ開口する形態も含まれる。
また、上記底広凹溝１３ｃに嵌装されるナット板１８ｃは、底広凹溝１３ｃの深さととほぼ同じ板厚で、且つ断面が凹溝１３ｃと相似形の台形を呈する。係るナット板１８ｃと底広凹溝１３ｃとの間には、左右一対の隙間ｓが形成される。
以上のようなベースプレート１０ｃを用いることで、底広凹１３ｃに嵌装したナット板１８ｃが外れないため、前述した手摺１などの施工を、更に容易にして安全に行うことができる。
【００２７】
図１２は、前記各形態の更に異なる応用形態であるベースプレート１０ｄ、および、これと共に用いるナット板１８ｄを示す断面図である。
係るベースプレート１０ｄは、図１２に示すように、前記同様のプレート本体１１と、その内側面１２の中央に垂直方向に沿って形成され、且つ底面よりも開口部が狭い底広凹溝（凹溝）１３ｄと、上下一対の長孔１７と、プレート本体１１の四隅を貫通する前記同様の大径穴１５および小径孔１６と、を有している。
【００２８】
上記底広凹溝１３ｄは、垂直方向に沿って断面ほぼ逆Ｔ字を呈し、係る底広凹溝１３ｄには、プレート本体１１の内側面１２における上辺と下辺との全長を垂直方向に貫通する形態の他、内側面１２の上辺にのみ開口する形態も含まれる。係るナット板１８ｄと底広凹溝１３ｄとの間には、左右一対の隙間ｓが形成される。また、上記底広凹溝１３ｄに嵌装されるナット板１８ｄは、底広凹溝１３ｄの深さととほぼ同じ板厚で、断面が凹溝１３ｄと相似形のほぼ逆Ｔ字形を呈する。
以上のようなベースプレート１０ｄを用いる場合でも、底広凹１３ｄに嵌装したナット板１８ｄが外れないため、前述した手摺１などの施工を、更に容易且つ安全にして行うことができる。
【００２９】
図１３は、本発明の取付構造を用いた異なる形態の手摺１ａの概略を示す側面（正面）図である。
手摺１ａは、図１３に示すように、傾斜した階段（図示せず）の側面を支持する桁Ｋの側面に垂直姿勢で取付られる複数の支柱２と、係る支柱２，２間に金具ｋ１を介して取付られるパネルＰと、複数の支柱２の上端に金具ｋ２を介して桁Ｋと同じ傾斜角度で支持される笠木（手摺レール）Ｔと、を備えている。
【００３０】
図１３に示すように、複数の支柱２は、桁Ｋの側面に対し、前記ベースプレート１０，１０ａ〜１０ｄおよびナット板１８，１８ａ〜１８ｄの何れかの組を用いて、垂直姿勢で且つそれぞれが所要の高さにして取り付けられる。特に、前記図６で示したように、支柱２の貫通孔を縦長の長孔３ａ，３ａとした場合には、これらとベースプレート１０，１０ａ〜１０ｄにおける横長の長孔１７，１７とを活用して、各支柱２の垂直姿勢の確保および高さの調整を容易に行える。尚、上記各支柱２に替え、前記支柱２４を用いて手摺１ａを構成しても良い。
従って、種々の傾斜角度が付される階段の桁Ｋに対しても、その側面に同じ傾斜角度の笠木Ｔを含む手摺１ａを容易且つ確実に施工することが可能となる。
【００３１】
本発明は、以上において説明した各形態に限定されるものではない。
例えば、本発明の取付構造は、屋内に限らず、屋外に露出した廊下、デッキ、桟橋、橋梁、または、各種の階段などを支持する梁Ｈや桁Ｋの側面に対しても、手摺用の支柱２を垂直姿勢で且つ所定の高さにして取り付けることも可能である。
また、本発明の取付構造が適用される支柱は、前記角形の中空部３を内蔵する中空押出形材の支柱２に限らず、断面円形や楕円形、または、断面ほぼ半円形の中空押出形材の支柱としたり、更には、断面コ字形、断面Ｈ字形、断面Ｉ字形、断面ほぼＴ字形などの中実の押出形材としても良い。
更に、支柱は、前記アルミニウム合金製に限らず、鋳鉄や鋳鋼、または型鋼、角形鋼、ステンレス鋼製の棒材、硬質の樹脂製の棒材、または、硬質の棒状木材からなる支柱などしても良く、これらの場合、前記座金２０を省略することも可能である。
また、ベースプレートを桁などに固定するには、前記ボルトを用いる他、皿ビスなどの木ねじを用いたり、金属製の桁の場合には、溶接付けする方法でも良い。
加えて、ベースプレートの前記長孔、ナット板の前記雌ネジ孔、支柱の貫通孔、および座金の通し孔は、上下に沿って３個以上を併設した形態としても良い。
【図面の簡単な説明】
【００３２】
【図１】本発明の取付構造を用いた手摺を示す側面（正面）図。
【図２】図１中のＸ−Ｘ線の矢視に沿った垂直断面図。
【図３】図２中のＹ−Ｙ線の矢視に沿った水平断面図。
【図４】本発明の一形態である取付構造の要部を示す分解斜視図。
【図５】本発明の取付構造の作用を示す概略図。
【図６】前記形態の応用形態である取付構造の要部を示す分解斜視図。
【図７】異なる形態の支柱を用いた図３と同様な水平断面図。
【図８】上記支柱を含む取付構造の要部を示す図４と同様な分解斜視図。
【図９】異なる形態のベースプレートおよびナット板を示す斜視図。
【図１０】異なる形態のベースプレートおよびナット板を示す斜視図。
【図１１】更に異なる形態のベースプレートおよびナット板を示す断面図。
【図１２】別なる形態のベースプレートおよびナット板を示す断面図。
【図１３】本発明の取付構造用いた異なる手摺を示す側面（正面）図。
【符号の説明】
【００３３】
１，１ａ…………………手摺
２，２４…………………支柱
２ａ，２７………………貫通孔
３…………………………中空部
３ｂ………………………縦長の長孔（貫通孔）
６…………………………柵体
９…………………………縦格子（格子）
１０，１０ａ〜１０ｄ…ベースプレート
１２………………………内側面
１３，１３ａ……………凹溝
１３ｂ……………………凹部
１３ｃ，１３ｄ…………底広凹溝（凹溝）
１７………………………横長の長孔
１８，１８ａ〜１８ｄ…ナット板
１９………………………雌ネジ孔
２０………………………座金
２２………………………通し孔
Ｈ…………………………梁
Ｋ…………………………桁
Ｂ…………………………固定用ボルト
Ｔ…………………………笠木
Ｐ…………………………パネル
【図１】
2006328937.tif 000003
【図２】
2006328937.tif 000004
【図３】
2006328937.tif 000005
【図４】
2006328937.tif 000006
【図５】
2006328937.tif 000007
【図６】
2006328937.tif 000008
【図７】
2006328937.tif 000009
【図８】
2006328937.tif 000010
【図９】
2006328937.tif 000011
【図１０】
2006328937.tif 000012
【図１１】
2006328937.tif 000013
【図１２】
2006328937.tif 000014
【図１３】
2006328937.tif 000015